(57)【特許請求の範囲】
【請求項１】
横断面を略Ｌ字状とした取付板と支持板とを有する縦長の基枠体の内側に、連結杆が摺動可能に配設され、該支持板の上部と下部に鉤部材が傾動可能に枢支され、該連結杆が上下の該鉤部材に連結され、該取付板の一部にシリンダ錠がその錠軸を該基枠体の内側に挿入して取り付けられ、係合凸部を有するカム部材が該錠軸の先端に該連結杆と係合可能に取り付けられ、該シリンダ錠の解錠操作により該カム部材を回動させ該連結杆を摺動させて解錠するゲーム機の施錠装置において、
該カム部材の該係合凸部を含む全体が、絞り加工により、該カム部材の平面部を曲面付きの側壁部により包囲する絞り形状として形成され、
該カム部材の略中央に、該シリンダ錠の錠軸に嵌合する嵌合孔が形成され、該嵌合孔は両側に平坦部を設けた略小判形に形成され、該小判形の嵌合孔の両側の平坦部には、該嵌合孔の縁部を表面側または裏面側に折り曲げて折り曲げ部が形成され、
該カム部材は、該嵌合孔を該錠軸に嵌入して該錠軸の先端のねじ孔に固定ねじをねじ込み、該固定ねじの頭部で該折り曲げ部を押し付けて固定され、
該シリンダ錠の解錠操作により該カム部材を回動させ、該係合凸部が該連結杆に係合して解錠動作する際、該係合凸部の側壁部の曲面が該連結杆に接触することを特徴とするゲーム機の施錠装置。
【請求項２】
横断面を略Ｌ字状とした取付板と支持板とを有する縦長の基枠体の内側に、鉤部を上部と下部に突設した縦長の施錠杆が摺動可能に配設され、該取付板の一部にシリンダ錠がその錠軸を該基枠体の内側に挿入して取り付けられ、係合凸部を有するカム部材が該錠軸の先端に該施錠杆と係合可能に取り付けられ、該シリンダ錠の解錠操作により該カム部材を回動させ該施錠杆を摺動させて解錠するゲーム機の施錠装置において、
該カム部材の該係合凸部を含む全体が、絞り加工により、該カム部材の平面部を曲面付きの側壁部により包囲する絞り形状として形成され、
該カム部材の略中央に、該シリンダ錠の錠軸に嵌合する嵌合孔が形成され、該嵌合孔は両側に平坦部を設けた略小判形に形成され、該小判形の嵌合孔の両側の平坦部には、該嵌合孔の縁部を表面側または裏面側に折り曲げて折り曲げ部が形成され、
該カム部材は、該嵌合孔を該錠軸に嵌入して該錠軸の先端のねじ孔に固定ねじをねじ込み、該固定ねじの頭部で該折り曲げ部を押し付けて固定され、
該シリンダ錠の解錠操作により該カム部材を回動させ、該係合凸部が該施錠杆に係合して解錠動作する際、該係合凸部の側壁部の曲面が該施錠杆に接触することを特徴とするゲーム機の施錠装置。
【発明の詳細な説明】
【技術分野】
【０００１】
本発明は、スロットマシン、パチンコ機等のゲーム機の前面枠（前扉）を、本体枠（筐体）に対し施錠するゲーム機の施錠装置に関し、特に、シリンダ錠の錠軸に固定したカム部材の回動に応じて、鉤部材を回動または摺動させて解錠する施錠装置に関する。
【背景技術】
【０００２】
従来、この種のゲーム機の施錠装置として、基枠体の内側に連結杆が摺動可能に配設され、基枠体の支持板の上部と下部に鉤部材が、連結杆に連結されて傾動可能に枢支され、基枠体の取付板の中間部に、シリンダ錠がその錠軸を取付板に設けた孔から内側に差し込むように固定され、錠軸の先端に連結杆と係合するカム板が取り付けられた構成の施錠装置が、下記特許文献１などで知られている。
【０００３】
この種の施錠装置では、ゲーム機の本体枠側に、鉤部材が係止される受け金具が取り付けられ、前面枠を閉じた際、鉤部材の傾斜面が受け金具に当たり、その閉鎖力によって鉤部材が一旦解錠側に傾動し、鉤部材の凹部が受け金具の係止部に係合したとき、ばね力により鉤部材が施錠姿勢に戻り、施錠状態となる。また、解錠する場合、シリンダ錠に挿入したキーを回すと、カム板が同方向に回動し、その係合凸部が連結杆の係合部に係合してこれを摺動させ、これにより、鉤部材が傾動し、受け金具との係合が外れ、解錠する。
【先行技術文献】
【特許文献】
【０００４】
【特許文献１】実開昭６０−２５８５号公報
【発明の概要】
【発明が解決しようとする課題】
【０００５】
ところで、この種の施錠装置に使用される、シリンダ錠の錠軸に固定されたカム板は、通常、厚さ約１．５ｍｍ程度の鋼板をカムレバー形状に打ち抜いて平板状に形成される。カム板の平面形状は、通常、２つの係合凸部を側方に突き出した形状であり、シリンダ錠に挿入したキーを回してカム板を回動させたとき、そのうちの１つの係合凸部が連結杆、施錠杆、係止解除部材などに係合してそれを動かし、これに応じて、鉤部材を回動または摺動させて解錠する。
【０００６】
カム板は、通常、鋼板を厚さ方向に打ち抜き加工され、その状態で部品として使用されるため、カム板の端面は切断面となっており、カム板の回動時、その切断面が、同様に鋼板を打ち抜きプレス加工された連結杆、施錠杆、係止解除部材などの切断面に係合して、これらの部材を摺動させ或いは回動させる。
【０００７】
このため、シリンダ錠に挿入したキーを回して解錠操作した際、カム板のエッジ部分と連結杆、施錠杆、係止解除部材などの被係合部（通常、切断面により形成される）が係合する際、切断面の狭い範囲に荷重が集中する。このため、解錠作動時の摩擦抵抗が増大し、シリンダ錠のキーを回した際、粗い切断面と切断面の摺動によって、解錠操作時に必要とされる荷重が増大する他、使用者にはゴリゴリした違和感が生じやすく、軽くスムーズな解錠操作が阻害される虞があった。
【０００８】
本発明は、上記の点に鑑みてなされたもので、軽くスムーズに解錠操作を行なうことができるゲーム機の施錠装置を提供することを目的とする。
【課題を解決するための手段】
【０００９】
上記目的を達成するために、本発明の請求項１のゲーム機の施錠装置は、横断面を略Ｌ字状とした取付板と支持板とを有する縦長の基枠体の内側に、連結杆が摺動可能に配設され、該支持板の上部と下部に鉤部材が傾動可能に枢支され、該連結杆が上下の該鉤部材に連結され、該取付板の一部にシリンダ錠がその錠軸を該基枠体の内側に挿入して取り付けられ、係合凸部を有するカム部材が該錠軸の先端に該連結杆と係合可能に取り付けられ、該シリンダ錠の解錠操作により該カム部材を回動させ該連結杆を摺動させて解錠するゲーム機の施錠装置において、
該カム部材の該係合凸部を含む全体が、絞り加工により、該カム部材の平面部を曲面付きの側壁部により包囲する絞り形状として形成され、
該カム部材の略中央に、該シリンダ錠の錠軸に嵌合する嵌合孔が形成され、該嵌合孔は両側に平坦部を設けた略小判形に形成され、該小判形の嵌合孔の両側の平坦部には、該嵌合孔の縁部を表面側または裏面側に折り曲げて折り曲げ部が形成され、
該カム部材は、該嵌合孔を該錠軸に嵌入して該錠軸の先端のねじ孔に固定ねじをねじ込み、該固定ねじの頭部で該折り曲げ部を押し付けて固定され、
該シリンダ錠の解錠操作により該カム部材を回動させ、該係合凸部が該連結杆に係合して解錠動作する際、該係合凸部の側壁部の曲面が該連結杆に接触することを特徴とする。
【００１０】
この発明によれば、シリンダ錠に挿入したキーを回して解錠操作した際、カム部材の係合凸部が連結杆に係合する際、係合凸部の側壁部の曲面が連結杆に接触し、連結杆を摺動させて解錠動作するため、カム部材にかかる荷重が曲面に分散され、カム部材の係合凸部と連結杆の摩擦抵抗は小さく、使用者は軽くスムーズに解錠操作をすることができる。また、絞り加工されるカム部材は、従来の鋼板打ち抜きのカム部材より大幅に薄い鋼板を加工して製造できるため、施錠装置の軽量化を図ることができる。
【００１１】
本発明の請求項２のゲーム機の施錠装置は、横断面を略Ｌ字状とした取付板と支持板とを有する縦長の基枠体の内側に、鉤部を上部と下部に突設した縦長の施錠杆が摺動可能に配設され、該取付板の一部にシリンダ錠がその錠軸を該基枠体の内側に挿入して取り付けられ、係合凸部を有するカム部材が該錠軸の先端に該施錠杆と係合可能に取り付けられ、該シリンダ錠の解錠操作により該カム部材を回動させ該施錠杆を摺動させて解錠するゲーム機の施錠装置において、
該カム部材の該係合凸部を含む全体が、絞り加工により、該カム部材の平面部を曲面付きの側壁部により包囲する絞り形状として形成され、
該カム部材の略中央に、該シリンダ錠の錠軸に嵌合する嵌合孔が形成され、該嵌合孔は両側に平坦部を設けた略小判形に形成され、該小判形の嵌合孔の両側の平坦部には、該嵌合孔の縁部を表面側または裏面側に折り曲げて折り曲げ部が形成され、
該カム部材は、該嵌合孔を該錠軸に嵌入して該錠軸の先端のねじ孔に固定ねじをねじ込み、該固定ねじの頭部で該折り曲げ部を押し付けて固定され、
該シリンダ錠の解錠操作により該カム部材を回動させ、該係合凸部が該施錠杆に係合して解錠動作する際、該係合凸部の側壁部の曲面が該施錠杆に接触することを特徴とする。
【００１２】
この発明によれば、シリンダ錠に挿入したキーを回して解錠操作した際、カム部材の係合凸部が施錠杆に係合する際、係合凸部の側壁部の曲面が施錠杆に接触し、施錠杆を摺動させて解錠動作するため、カム部材にかかる荷重が曲面に分散され、カム部材の係合凸部と施錠杆の摩擦抵抗は小さく、使用者は軽くスムーズに解錠操作をすることができる。また、絞り加工されるカム部材は、従来の鋼板打ち抜きのカム部材より大幅に薄い鋼板を加工して製造できるため、施錠装置の軽量化を図ることができる。
【００１４】
また、請求項１及び２の施錠装置によれば、シリンダ錠の錠軸の先端に、カム部材を取り付ける際、該カム部材の嵌合孔を該錠軸の先端の両側に切欠部を設けた部分に嵌合させ、その状態で固定ねじを錠軸の先端のねじ孔にねじ込み固定する際、錠軸先端の切欠部に両側の折り曲げ部をガタツキなく嵌め込み、且つ折り曲げ部を固定ねじの頭部で確実に押さえ、カム部材を錠軸の先端部に強固に固定することができる。
【発明の効果】
【００１５】
本発明のゲーム機の施錠装置によれば、軽くスムーズに解錠操作を行なうことができる。
【図面の簡単な説明】
【００１６】
【図１】本発明の一実施形態を示す施錠装置の右側面図である。
【図２】同施錠装置の拡大部分背面図である。
【図３】同装置のシリンダ錠とカム部材近傍の部分拡大斜視図である。
【図４】カム部材の表面の拡大斜視図（ａ）、その裏面の拡大斜視図（ｂ）である。
【図５】図２のV-V拡大部分断面図である。
【図６】他の実施形態のカム部材における表面側の拡大斜視図（ａ）、その裏面側の拡大斜視図（ｂ）である。
【図７】同カム部材における図５に対応した拡大部分断面図である。
【図８】他の実施形態の施錠装置の右側面図である。
【発明を実施するための形態】
【００１７】
以下、本発明の実施の形態を図面に基づいて説明する。図１はゲーム機用施錠装置の右側面図を示し、図２はその部分拡大背面図を、図３その部分拡大斜視図を示している。施錠装置の基本フレームを形成する基枠体１は、金属板をプレス加工して略チャンネル材状に縦長に形成され、基枠体１には、図５に示す如く、横断面を略Ｌ字状に曲折された取付板２と支持板３が設けられる。取付板２の中間部には図２のように幅を広くした幅広部がシリンダ錠７を取り付けるために設けられる。その取付板２の幅広部にシリンダ錠７の取付用の開口孔が設けられ、そこにシリンダ錠７がその錠軸７ａを基枠体１の内側に挿入するように取り付けられている。
【００１８】
図２に示すように、背面視で取付板２の右側の縁部に支持板３が背面側に直角に曲折して設けられ、この支持板３の上部と下部近傍に幅広部が形成され、その幅広部分に、図１に示す如く、フック状に形成された鉤部材５、６が枢軸５ａ、６ａにより回動可能に軸支される。基枠体１を鉛直状態とした状態の支持板３に対し、上下の鉤部材５，６は、各々略水平横方向に突出した状態で停止し、且つその状態から下側に回動（傾動）可能に、枢軸５ａ，６ａによって枢支されている。
【００１９】
さらに、基枠体１の支持板３の内側に沿って帯状の連結杆４が摺動可能に配設される。連結杆４はその上端部が上側の鉤部材５の末端部に連結軸５ｂを介して連結され、連結杆４の下端部は下側の鉤部材６の末端部に連結軸６ｂを介して連結される。これにより、連結杆４が上方に摺動することにより、上部と下部の鉤部材５、６は、共に下側の解錠位置に傾動するようになっている。
【００２０】
図２に示す如く、取付板２の幅広部に取り付けられるシリンダ錠７近傍の支持板３は背面視右側に膨出する形状となっており、連結杆４についても、シリンダ錠７近傍部分は、支持板３に沿って右側に膨出し、シリンダ錠７の錠軸７ａのカム部材１０の側部を連結杆４が通るようになっている。
【００２１】
図１のように、連結杆４の中間部にガイド孔４ｂが長手方向（上下方向）にそって形成され、そのガイド孔４ｂにガイドピン４ｃが挿通されて支持板３に固定され、連結杆４はガイドピン４ｃにより長手方向に所定の範囲で摺動可能にガイドされる。また、連結杆４におけるカム部材１０の近傍には、図３に示すように、カム部材１０の第１係合凸部１１に係合可能な係合部４ａが形成されている。さらに、図１のように、連結杆４と基枠体１との間に、コイルばね２１が連結杆４を下側に引くように付勢して掛け渡され、連結杆４は通常時、コイルばね２１により下方つまり施錠側に付勢され、図１に示すような施錠状態となっている。
【００２２】
取付板２の中間部には、シリンダ錠７を取り付けるための幅広部が形成され、その幅広部に円形の開口孔が穿設され、その開口孔にシリンダ錠７が基枠体１の背面側から挿入され、そのフランジ７ｂを取付板２の内側に当てねじ止めされる。つまり、シリンダ錠７はその錠軸７ａを基枠体１の内側に挿入した状態で、取付板２上に取り付けられる。錠軸７ａ先端にはカム部材１０を固定するために、両側に切欠部が平行に形成され、また、錠軸７ａの先端軸方向には、図５に示すように、ねじ孔７ｃが形成される。これにより、カム部材１０の略小判形の嵌合孔１６を錠軸７ａの先端に嵌め込んだ際、回り止め状態でガタツキなく嵌合でき、固定ねじ１９をねじ孔７ｃにねじ込んだとき、カム部材１０の嵌合孔１６の縁部を締め付け固定できるようになっている。
【００２３】
カム部材１０は、図４に示すように、略円形の本体部の側方に、第１係合凸部１１と第２係合凸部１２を突出させた形状に、鋼板の絞り加工によって形成される。すなわち、カム部材１０は、例えば厚さ約０．４ｍｍ程度の比較的薄い鋼板を使用して、その第１係合凸部１１及び第２係合凸部１２を含む全体が、絞り加工により側壁を付して形成され、カム部材１０の平面部１３が、曲面付きの側壁部１４により包囲するような絞り形状となっている。
【００２４】
具体的には、図４（ａ）に示す如く、カム部材１０は、平面部１３の上面を表面１３ａとし、図４（ｂ）に示すように、平面部１３の下面を裏面１３ｂとして、裏側に凹状空間が形成されるように、平面部１３の表面１３ａの周縁部を下側に絞り込んで絞り加工される。これにより、カム部材１０の第１係合凸部１１及び第２係合凸部１２を含む平面部１３の側壁部１４が平面部１３を包囲するように曲面で形成される。
【００２５】
さらに、図４に示すように、カム部材１０の平面部１３の略中央に、略小判形の嵌合孔１６が形成される。嵌合孔１６両側の平坦部は、嵌合孔１６の縁部を下側（裏面１３ｂ側）に、相互に平行に折り曲げて形成され、これにより、カム部材１０をシリンダ錠７の錠軸７ａの先端の切欠部（円柱の上部両側を平行に切り欠いた部分）に、カム部材１０を所定の角度位置で、ガタツキなく正確に嵌合されるようになっている。
【００２６】
したがって、シリンダ錠７の錠軸７ａの先端に、カム部材１０を固定する場合、カム部材１０の小判形の嵌合孔１６をシリンダ錠７の錠軸７ａの先端に嵌め込み、図５のように、固定ねじ１９（皿ねじ）を錠軸７ａのねじ孔７ｃにねじ込めば、固定ねじ１９の頭部下面が折り曲げ部１５を押さえ、カム部材１０を錠軸７ａに対し所定の角度位置で容易に固定することができる。また、カム部材１０の嵌合孔１６における平行な折り曲げ部１５が、錠軸７ａの切欠部に嵌合することにより、カム部材１０の回り止めとなる。
【００２７】
シリンダ錠７の錠軸７ａの先端に固定されたカム部材１０は、図３に示すように、その第１係合凸部１１を、連結杆４の係合部４ａ側に臨ませて位置し、図３の反時計方向に錠軸７ａつまりカム部材１０が回動されたとき、カム部材１０の第１係合凸部１１が連結杆４の係合部４ａに係合し、連結杆４を上側に上昇させる構造となっている。
【００２８】
さらに、図２，３に示すように、支持板３と連結杆４との間に、スイッチ作動杆８が摺動可能に配設される。このスイッチ作動杆８は、シリンダ錠７によりその錠軸７ａに固定されたカム部材１０を左に（図２の時計方向）回したとき、カム部材１０の第２係合凸部１２に係合して下側に摺動し、図示しない作動スイッチをオンオフ操作する構造となっている。図１に示すように、スイッチ作動杆８と基枠体１との間にコイルばね２２が掛けられ、コイルばね２２のばね力によってスイッチ作動杆８は上側に付勢されている。
【００２９】
シリンダ錠７は長尺のシリンダ部を有すると共に、基部にフランジ７ｂを設けて形成され、そのシリンダ部を基枠体１の内側から取付板２の幅広部に設けた開口孔に挿入し、フランジ７ｂを取付板２の内側に当接され、２本の固定ねじ１８によりその錠軸７ａの先端を基枠体１の内側に突出した状態で固定される。そして、上記のカム部材１０が錠軸７ａの先端に固定される。
【００３０】
上述のように、カム部材１０には第１係合凸部１１、第２係合凸部１２が設けられ、連結杆４における第１係合凸部１１の対応箇所には、第１係合凸部１１と係合可能な係合部４ａが設けられ、図２，３のようにスイッチ作動杆８にも第２係合凸部１２と係合可能な係合部８ａが設けられる。カム部材１０の第１係合凸部１１はシリンダ錠７のキーを右に回した時、連結杆４と係合して連結杆４を上方に移動させ、カム部材１０の第２係合凸部１２はキーを左に回した時、スイッチ作動杆８と係合してこれを下方に摺動させる。
【００３１】
このように構成された施錠装置は、ゲーム機例えばスロットマシンの前扉の内側に、基枠体１の取付板２を縦に固定して装着され、ゲーム機のキャビネットの内側壁の対応位置に、受け金具が鉤部材５，６に係止可能に取り付けられる。
【００３２】
前扉をキャビネットに対し閉じた状態（施錠状態）で、所定のキーをシリンダ錠７に挿入し、それを右に回すと、錠軸７ａ及びカム部材１０が図２の反時計方向に回動し、このとき、カム部材１０の第１係合凸部１１が連結杆４の係合部４ａに係合し、連結杆４をコイルばね２１の付勢力に抗して上方に移動させ、これにより、上下の鉤部材５、６が下側に傾動し、受け金具との係合を解除して解錠状態となる。
【００３３】
このとき、カム部材１０の第１係合凸部１１が連結杆４の係合部４ａに係合する際、第１係合凸部１１の側壁部１４の曲面が連結杆４の係合部４ａに接触し、連結杆４を押し上げるように上昇させて解錠動作するが、カム部材１０にかかる荷重が曲面に分散され、カム部材１０の第１係合凸部１１と連結杆４の係合部４ａ間の摩擦抵抗は小さくなるので、使用者は軽くスムーズに解錠操作をすることができる。
【００３４】
一方、前扉を施錠する際、開放された前扉を閉じると、まず上下の鉤部材５，６の傾斜部が、キャビネット側の対応位置の受け金具に接触し、これにより鉤部材５，６がコイルばね２１の付勢力に抗して図１の下側に傾動し、鉤部材５，６の係止凹部が受け金具の係合位置に達したとき、鉤部材５，６がコイルばね２１の付勢力により水平位置に復帰して受け金具に対し係止され、施錠状態となる。
【００３５】
一方、ゲーム機のリセットなどを行う場合、シリンダ錠７に挿入したキーを左に回し、錠軸７ａに固定されたカム部材１０を図２の時計方向に回動させる。このとき、カム部材１０の第２係合凸部１２がスイッチ作動杆８の係合部８ａに係合してこれを下側に摺動させ、図示しない作動スイッチを動作させ、リセット信号を発生させる。このときも、上記と同様、カム部材１０の第２係合凸部１２が係合部８ａに係合する際、第２係合凸部１２の側壁部１４の曲面が係合部８ａに接触し、スイッチ作動杆８を下降摺動させるが、カム部材１０にかかる荷重が曲面に分散され、カム部材１０の第２係合凸部１２と係合部８ａ間の摩擦抵抗は小さく、使用者は軽くスムーズに操作をすることができる。
【００３６】
図６は、他の実施形態のカム部材１０Ａを示している。このカム部材１０Ａは、図４のカム部材１０と同様に、平面部１３の上面を表面１３ａとし、図６（ａ）の如く、平面部１３の下面を裏面１３ｂとして、裏側に凹状空間が形成されるように、平面部１３の表面１３ａの周縁部を下側に絞り込んで絞り加工される。また、カム部材１０Ａの第１係合凸部１１及び第２係合凸部１２を含む平面部１３の側壁部１４が平面部１３を包囲するように曲面で形成される。
【００３７】
カム部材１０Ａの平面部１３の略中央に、略小判形の嵌合孔１６が形成されるが、この嵌合孔１６両側の平坦部は、嵌合孔１６の縁部を、上記とは反対側つまり上側（表面１３ａ側）に折り曲げ、相互に平行な折り曲げ部１５Ａとして形成される。
【００３８】
これにより、カム部材１０Ａをシリンダ錠７の錠軸７ａの先端の切欠部（円柱の上部両側を平行に切り欠いた部分）に嵌め込み、固定ねじ１９をねじ孔７ｃにねじ込んで固定した場合、図７に示すように、固定ねじ１９の頭部下側が両側の折り曲げ部１５Ａの上側を押さえ、強固に固定される。また、カム部材１０Ａの嵌合孔１６における平行な折り曲げ部１５Ａが、錠軸７ａの切欠部に嵌合することにより、カム部材１０Ａの回り止めとなる。
【００３９】
このように、図６、７に示すカム部材１０Ａであっても、上記と同様に、カム部材１０の嵌合孔１６の両側の折り曲げ部１５Ａがシリンダ錠７の錠軸７ａの先端の切欠部に嵌め込まれ、錠軸７ａに対し所定の角度位置で、ガタツキなく正確に嵌合固定することができる。
【００４０】
図８は他の実施形態の施錠装置を示し、この施錠装置は、上記鉤部材５，６に代えて、鉤部２４Ａ，２４Ｂ付きの施錠杆２４を基枠体１の支持板３の内側に沿って摺動可能に配して構成される。なお、上記実施形態と同様な部分は図８において、上記と同じ図符号を付してその説明は省略する。
【００４１】
施錠杆２４には、その上部と下部に、下側に係止凹部を有した鉤部２４Ａ，２４Ｂが背面に向けて突設される。図８に示すように、施錠杆２４には、複数のガイド孔が長手方向に沿って形成され、そのガイド孔にガイドピン２４ｂが挿入され、その先端が支持板３に固定され、これにより、施錠杆２４は、基枠体１の支持板３の内側において、所定の範囲で上下方向に摺動可能となっている。
【００４２】
さらに、図８のように、施錠杆２４と基枠体１間には、上記と同様に、コイルばね２１が掛け渡され、コイルばね２１によって施錠杆２４は下側（施錠側）に付勢される。また、施錠杆２４におけるシリンダ錠７及びカム部材１０の近傍には、係合部２４ａが設けられ、シリンダ錠７に挿入したキーを右に回してカム部材１０の第１係合凸部１１を上側に回動させたとき、第１係合凸部１１がその係合部２４ａに係合し、これによって施錠杆２４を上昇させ、解錠動作するようになっている。
【００４３】
この施錠装置は、上記と同様、ゲーム機の前扉の内側に縦に取り付けられ、キャビネットの対応位置に、受け金具が施錠杆２４の鉤部２４Ａ，２４Ｂと係止可能に取り付けられる。前扉をキャビネットに対し閉じた施錠状態で、所定のキーをシリンダ錠７に挿入し、それを右に回すと、錠軸７ａ及びカム部材１０が同方向に回動し、このとき、カム部材１０の第１係合凸部１１が施錠杆２４の係合部２４ａに係合し、施錠杆２４をコイルばね２１の付勢力に抗して上方に移動させ、これにより、上下の鉤部２４Ａ,２４Ｂが上側に摺動し、受け金具との係合を解除して解錠状態となる。
【００４４】
この解錠時、カム部材１０の第１係合凸部１１が施錠杆２４の係合部２４ａに係合する際、第１係合凸部１１の側壁部１４の曲面が施錠杆２４の係合部２４ａに接触し、施錠杆２４を摺動させて解錠動作するが、カム部材１０にかかる荷重がその側壁部１４の曲面に分散され、カム部材１０の第１係合凸部１１と施錠杆２４の係合部２４ａ間の摩擦抵抗は小さく、使用者は軽くスムーズに解錠操作をすることができる。
【００４５】
なお、図８に実施形態の施錠装置においても、図４のカム部材１０に代えて、図６のカム部材１０Ａをシリンダ錠７の錠軸７ａの先端に固定して使用することもできる。
【符号の説明】
【００４６】
１      基枠体
２      取付板
３      支持板
４      連結杆
５      鉤部材
６      鉤部材
７      シリンダ錠
７ａ    錠軸
７ｂ    フランジ
７ｃ    ねじ孔
１０    カム部材
１１    第１係合凸部
１２    第２係合凸部
１３    平面部
１３ａ  表面
１３ｂ  裏面
１４    側壁部
１５    折り曲げ部
１６    嵌合孔
【図１】
0005395016.tif 000002
【図２】
0005395016.tif 000003
【図３】
0005395016.tif 000004
【図４】
0005395016.tif 000005
【図５】
0005395016.tif 000006
【図６】
0005395016.tif 000007
【図７】
0005395016.tif 000008
【図８】
0005395016.tif 000009